(57)【要約】      （修正有）【課題】各ポンプの組立て及び製造を改良したポンプ改良物を提供する。【解決手段】ポンプはリングのみによってハウジングの端部に保持されるボルトレスカバーを有する。ポンプはフランジレス弁板を有する。ポンプはそれぞれの孔を有する各偏心器及び各ピストンを有しており、この結果、ポンプの両端の各ピストンは１８０°位相ずれしてモータの主軸に組み付けることができる。ポンプは該ポンプの２つのヘッド部材を備えた一体型ヘッドを有し、これら２つのヘッド部材を接続する管も一体的に形成したポートを有する。ポンプはそのポートから弾性管状部材によって支持される。ポンプはヘッド、ハウジングまたはベース等の部材の孔に押し込むことができる押込み式取付け具を有する。この結果、一旦押し込まれると、取付け具の周りのリングはボディの縁の後方で外側に膨張して、取付け具を開口部に閉じ込める。【選択図】図１
2006322459.tif 000002
【特許請求の範囲】
【請求項１】
ポンプ室（２００）と、モータ（１６）と、ハウジング内にクランク室（２０５）を形成するように該ハウジングの一端にて前記モータに前記ポンプ室を接続する前記ハウジング（１４）と、前記モータ（１６）と反対の前記ハウジング（１４）の端部のカバー（２０）とを有するポンプ（１０）において、
前記カバーよりも僅かに大きい前記ハウジングの前記端部の開口部に前記カバー（２０）が嵌合すると共に、抵抗性変形部材（６４）が前記カバー及び前記ハウジングの間にあって変形して前記ハウジングに対して前記カバーを保持する唯一の一定の力をもたらすように改良したことを特徴とする前記ポンプ改良物。
【請求項２】
前記ハウジングの前記端部での前記開口部は前記ハウジングの内側に向かってテーパーが付いている面取り部（５４）をその外側に有することを特徴とする請求項１に記載のポンプ改良物。
【請求項３】
前記カバーは前記開口部への前記カバーの挿入を止める肩部（５７）を有することを特徴とする請求項１に記載のポンプ改良物。
【請求項４】
前記変形部材（６４）は前記ハウジングの機械仕上げ面（５２）に対してぴったりはまるリング（６４）であることを特徴とする請求項１に記載のポンプ改良物。
【請求項５】
前記カバーは前記ポンプの動作の際に少なくとも間欠的減圧を受けることを特徴とする請求項１に記載のポンプ改良物。
【請求項６】
前記カバーはその中に１つ以上の孔を有することを特徴とする請求項１に記載のポンプ改良物。
【請求項７】
前記カバーにはフィルターが組み込まれていることを特徴とする請求項１に記載のポンプ改良物。
【請求項８】
シリンダ（２４）と、ハウジングと、該シリンダ（２４）及びヘッド部材（３４）に組み付けた弁板（２８）と、該弁板及び前記シリンダを前記ヘッド部材及び前記ハウジングの間にクランプするように前記ハウジングに前記ヘッド部材を固定する前記ヘッド部材のフランジにも少なくとも２つの伸張する開口部（３４a、３４b）とを有するポンプ（１０）において、
ファスナ（４０）が前記開口部（３４a、３４b）を通して、かつ前記弁板の側を通るものの前記弁板内を通ることなく伸張していることを改良の特徴とする前記ポンプ改良物。
【請求項９】
前記弁板が前記シリンダ（２４）中に伸張すると共に、シールリング（８４）が前記シリンダ（２４）中への前記弁板の前記伸張部（８０）の周りに設けられていることを特徴とする請求項８に記載のポンプ改良物。
【請求項１０】
前記弁板が前記ヘッド部材に関して前記弁板を角をなして向けるべく少なくとも１つの機構（７２）を備えたことを特徴とする請求項１に記載のポンプ改良物。
【請求項１１】
前記機構（７２）は前記弁板の軸方向に対向する側にあることを特徴とする請求項１０に記載のポンプ改良物。
【請求項１２】
前記機構（７２）は凹部であると共に、前記ヘッド部材は前記凹部に嵌合する凸部（７４）を有することを特徴とする請求項１１に記載のポンプ改良物。
【請求項１３】
平行でかつ離間した軸をおのおのが有する少なくとも２つの分離ポンプ室（２００、２０１）と、おのおのが前記ポンプ室のうちの異なる１つ及び一対のヘッド部材にさし渡る少なくとも１つの管（３６）に関連する前記一対のヘッド部材（３２，３４）とを具備し、この際、前記管が前記ヘッド部材の間に流体コミュニケーションをもたらすと共に、前記ヘッド部材の一方と前記管の各端部で一体的に形成され、この結果、前記ヘッド部材及び前記管が前記ポンプ室の双方に共通であると共に、前記ヘッド部材及び前記管を備えた単一片の連続した材料である単一の一体式に形成されたヘッドを形成し、この結果、前記管が各前記ヘッド部材に前記管を連続的に接続する一体的ヘッドの材料によってもたらされる流体密着で固定の接続部を用いて各前記ヘッド部材に接続されてなるポンプにおいて、
前記管が前記管中への通路をもたらすと共に、前記２つのヘッド部材の間にある一体型ポート（８８）を備えていることを改良の特徴とする前記ポンプ。
【請求項１４】
前記ポートは前記２つのヘッド部材の略中間にあることを特徴とする請求項１３に記載のポンプ。
【請求項１５】
前記ポートは前記ポンプの出口ポートであることを特徴とする請求項１３に記載のポンプ。
【請求項１６】
前記ポンプの取入れ口は前記ポンプの貫通ピストンであることを特徴とする請求項１５に記載のポンプ。
【請求項１７】
モータ（１６）の主軸（１００）の両端に結合された第１及び第２のピストン組立て品（２５、２７）を有するポンプ組立て品であって、各前記ピストン組立て品（２５、２７）がピストン（９２）と、つり合い重り部（９６）及び第１の軸（１０６）を有するスタブ部（９８）を有する偏心器（９４）であって、前記第１の軸と平行でかつ前記第１の軸から離間している第２の軸（１０４）を有すると共に、前記モータの主軸の一端を受容する孔を有する前記偏心器と、前記モータ主軸に前記偏心器を固定するファスナ（９３）とを有し、この際、前記スタブ部（９８）が前記第１の軸回りに前記ピストンに関して回転するために前記ピストン（９２）に移動（journal）してなる前記ポンプ組立て品において、
前記第１のピストン組立て品（２７）の前記ピストン（９２）が前記第１及び第２の軸と平行な軸を有する第１の位置合わせ孔（１１０または１１２）を有し、かつ前記第１の第１のピストン組立て品（２７）の前記偏心器（９４）が前記第１の位置合わせ孔（１１０または１１２）と位置合わせできる位置合わせ孔（１１４）を有し、この際、前記偏心器の位置合わせ孔が前記第１の位置合わせ孔と位置合わせされるとき、前記ピストンが頂部の死点位置または底部の死点位置のうちの一方にあることを特徴とする前記ポンプ組立て品。
【請求項１８】
前記第１のピストン組立て品（２７）の第２の位置合わせ孔（１１０）を更に具備し、前記偏心器の位置合わせ孔（１１４）が前記第１の位置合わせ孔（１１２）と位置合わせされるとき、前記ピストンが前記頂部の死点位置にあり、かつ前記偏心器の位置合わせ孔（１１４）が前記第２の位置合わせ孔（１１０）と位置合わせされるとき、前記ピストンが前記底部の死点位置にあることを特徴とする請求項１７に記載のポンプ組立て品。
【請求項１９】
前記第２のピストン組立て品（２５）の前記ピストン（９２）の第１の位置合わせ孔（１１０または１１２）と、前記第２のピストン組立て品（２５）の偏心器の位置合わせ孔と、を更に具備し、前記第２ののピストン組立て品（２９）の前記ピストン（９２）の前記第１の位置合わせ孔（１１０または１１２）が前記第２のピストン組立て品（２５）の前記偏心器の位置合わせ孔（１１４）と位置合わせされる場合と、前記第１のピストン組立て品（２７）の前記ピストン（９２）の前記第１の位置合わせ孔（１１０または１１２）が前記第１のピストン組立て品（２７）の前記偏心器の位置合わせ孔（１１４）と位置合わせされる場合とで、前記ピストン（９２）が１８０°位相がずれていることを特徴とする請求項１８に記載のポンプ組立て品。
【請求項２０】
前記第１及び第２の位置合わせ孔、並びに前記偏心器の位置合わせ孔を通して同時に伸張可能な２つのピン（１１９）を有する磁気的取付け具をさらに具備したことを特徴とする請求項１８に記載のポンプ組立て品。
【請求項２１】
各ポート（１３８）を有するポンプにおいて、該ポンプが、前記ポートへのガス流体のコミュニケーション用の少なくとも１つの通路を形成する１つ以上の弾性管状部材（１３２または１５２）を用いてベース（１３６）に取り付けられ、この際、前記弾性管状部材はその一端が前記ポートに接続され、かつその他端が前記ベースに接続されてなることを特徴とする前記ポンプ。
【請求項２２】
前記１つ以上の弾性体が、前記ポンプをマウント上に置くようにして前記ポンプが動作しないときに弛緩し、前記ポンプが動作するときに、前記弾性体が前記ポンプを前記マウントから持ち上げて振動絶縁を用いて前記ポンプを保持する加圧または減圧を受けることを特徴とする請求項２１に記載のポンプ。
【請求項２３】
前記管状体は前記ポンプに振動絶縁をもたらすことを特徴とする請求項２１に記載のポンプ。
【請求項２４】
ポート（１６８）を有するポンプにおいて、差込み具（１７４）を形成する少なくとも１つの部分を有するポンプ部品（１３８、１４０、１５０、１６０または１６６）を具備し、前記差込み具（１７４）が前記ポートに挿入されるとき前記差込み具（１７４）及び前記ポートの間で圧縮することができる変形リング（１８２）を前記差込み具が少なくとも部分的にその周りに有してなり、この際、前記リング（１８２）が十分な挿入深さで前記ポート（１６８）を通り越すとき、前記リングが外側に伸張して、前記差込み具の除去を禁止するようにしたことを改良の特徴とする前記ポンプ改良物。
【請求項２５】
前記差込み具及び前記ポンプの間のシールリングである第２のリングを更に具備したことを特徴とする請求項２４に記載のポンプ改良物。
【請求項２６】
前記部品はポートであることを特徴とする請求項２４に記載のポンプ改良物。
【請求項２７】
前記部品はプラグであることを特徴とする請求項２４に記載のポンプ改良物。
【請求項２８】
前記部品は圧力調整弁であることを特徴とする請求項２４に記載のポンプ改良物。
【請求項２９】
前記弾性変形部は可撓性リング、金属割りリング、またはプラスチック割りリングであることを特徴とする請求項２８に記載のポンプ改良物。
【請求項３０】
ポンプポート（１６８）に挿入可能な端部（１７４）を有するポンプ部品（１６６）において、前記挿入可能な端部（１７４）が、
弾性変形部（１８２）と、
前記弾性変形部（１８２）によって少なくとも部分的に囲まれた、前記弾性変形部（１８２）よりも硬質の部分と、
前記弾性変形部が内部ポート面及び前記より硬質の材料の間で変形する初期差込み具構造体と、
前記初期差込み具構造体において、前記ポート内の接合部（１８４）が前記弾性変形部（１８２）をブロックして、前記挿入可能端部の除去を禁止する場合とは異なる構造体を前記弾性変形部が有する最終差込み具位置と、を具備したことを特徴とする前記ポンプ部品。
【発明の詳細な説明】
【技術分野】
【０００１】
この発明はコンプレッサ及び真空ポンプ双方を含むポンプに関し、特に、ポンプの組立て及び製造を改良した改良物に関する。
【背景技術】
【０００２】
本願で述べる一般的な形式のポンプは周知のものである。こういったポンプは１つ、２つまたはそれ以上のポンプ室を有することができ、かつ、モータによって駆動されるポンプ室内で往復するピストン（例えば、手動ピストン、関節のあるヘッドピストン、または隔膜ピストン）を一般に有し得る。平行軸を有する２つのポンプ室がある場合、モータは一般に、ポンプのクランクケースを形成すると共に、各ポンプ室にモータを接続する２つのハウジングの間にあり、この場合、モータの主軸はポンプ室軸と直交している。有益な形態では、一体型ヘッドは、例えば、参照によって本願に導入される特許文献１におけるように、２つのポンプ室にさし渡っている。
【特許文献１】米国特許第6,056,521号
【発明の開示】
【発明が解決しようとする課題】
【０００３】
モータとは反対側の各ハウジングの端部は一般に、空気を通すファンガード、またはカバーを閉じたままにする付加的なファスナを必要とする或る種のこのカバーを用いて少なくとも部分的に閉じられてきた。このことは付加的組立て及び付加的部品を必要としていた。また、ヘッドから分離されるならば、一般にヘッドの直下に設けられる弁板は一般に、ハウジング上にヘッドを保持するタイロッドが伸張することとなる各フランジを有しており、この場合、シリンダ及び可能な他の部品それらのフランジの間に介在していた。これらのフランジは、弁板の配向がヘッドのボルト穴と合うことを要求することによって、組立てにおいて問題を引き起こし得ると共に、場合によっては、例えばヘッドフランジが弁板のフランジと干渉するような場合にはリークの原因ともなり得ていた。他の構造体においては、弁板はヘッドを閉じたままにして弁板を閉じて保持する各ファスナから離隔した別個の各ファスナを必要としていた。
【０００４】
また、各ピストンは駆動軸に組み付けられており、以前はこの組付けはモータ主軸上の各平ら部を用いて一般に行われていた。この場合、一端上の平ら部は他端上の平ら部とは１８０°位相がずれて尾おり、この結果、各ピストンもまた位相ずれしていた。平ら部に対して止めねじを用いると組立てにおいてエラーを引き起こす。これらのエラーは必ずしも各ピストンが１８０°位相ずれすることの原因にはならない。片面ポンプに対して、位相は論点ではないが、両面ポンプに対しては、組立てを困難にするものではないが、各ピストンが１８０°位相ずれすることを保証するのに確実な方法が要求される。
【０００５】
また、これらのポンプには多くの困難な応用があることを見いだすことができる。このため、これらのポンプ構造体に対して困難なポート装置を可能にすることが有益である。
【０００６】
この種のポンプはまた、異なる取り外し可能な、即ち、個別ポート装置を備えることができる。このためには、ポートまたはプラグをポンプに付加する容易な方法を有することは有用であろう。
【０００７】
また、周知のように、この種のポンプは相当なノイズや振動を起こし得る。絶縁分離は最高の応用における主要な設計上の目標である。この分野にも低コストで容易な組立てにて良好な性能をもたらす解法が必要とされている。
【課題を解決するための手段】
【０００８】
一態様において、本発明はボルトレスカバー及びハウジング間の圧縮されたリングのみによってポンプのハウジングの端部上に保持される前記カバーを有する前記ポンプを提供する。前記ハウジングの孔は、前記カバーを前記孔に挿入し、前記リングが前記ホールにぴったり合って前記カバーを前記ハウジングに保持するとき、前記リングを圧縮する面取り部を有する。前記カバーは前記カバーが前記ハウジング中に挿入され過ぎるのを止めるフランジを有する。前記カバーはポートを備えることができると共に、特に、前記ポンプの吸気がクランクケースを通して行われる場合、該クランクケースによる減圧力を受けることができる。
【０００９】
別の態様において、前記ポンプはフランジレス弁板を有し、このことは前記ヘッドを前記ポンプに固定する各ボルトが伸張するフランジを弁板が有していないことを意味する。各フランジを除去することは、前記各フランジによって引き起こし得る、前記弁板及び前記ヘッド間のリークの問題を解消する一助となる。フランジが無くなったことで、他の機構を前記ヘッドに関して前記弁板を角をなして向けるように前記弁板及び前記ヘッド上に設けることができる。角をなして配向することは、前記弁板上の弁または各弁との干渉を防止する幾つかの応用には好ましい。
【００１０】
別の態様において、前記ポンプはいずれも孔を有する各偏心器及び各ピストンを有し、この結果、前記ポンプの両端部での前記各ピストンを１８０°位相ずれさせて前記モータの主軸に組み付けることができる。
【００１１】
別の態様において、前記ポンプの２つのヘッド部材とこれらを接続する管とを備えた一体型ヘッドはまた、前記２つのヘッド部材の間に、前記管への通路をもたらす一体的に形成したポートを有する。好ましい形式では、前記ポートは前記２つのヘッド部材の間の中間にある。
【００１２】
別の態様において、前記ポンプはその各ポートからの各弾性管状部材によって支持される。前記各弾性管状部材は前記ポンプのベース及び前記各ポートの間に伸張し得ると共に、前記各ポートは吸気口、排気口、またはその双方であって良い。この態様において、この弾性取付けは、前記ポンプが動作中のときにはより硬質の程度であることができ、この結果、前記ポンプが動作中ではないときは、出荷の際に有益となり得るように、前記ポンプは硬質のマウント上に休止するようにできよう。
【００１３】
別の態様において、前記ポンプは、前記ヘッド、前記ハウジングまたは前記ベース等の部材の孔に押し込むことができる押込み取付け具を有し、この結果、一旦押込みが行われると、前記取付け具の周りのリングがボディの縁の後方の外側に膨張して、前記取付け具を開口部に閉じ込める。シーリングはまた、前記取付け具及び前記ボディの間をシールする取付け具の周囲に設けることができる。
【００１４】
本発明のこれら及び他の目的並びに利点は詳細な説明及び図面から明瞭となろう。
【００１５】
本発明の前記及び他の目的並びに利点は以下に述べる詳細な説明で明らかとなろう。この説明では、本発明の好ましい実施例を図示する添付図面を参照する。
【発明を実施するための最良の形態】
【００１６】
図１から図４を参照すると、本発明のポンプ１０は相互に同一の２つのハウジング１２及び１４と、これらのハウジングの間のモータ１６と、相互に同一で、このモータ１６とは反対のハウジングの端部とのカバー１８及び２０と、同一のシリンダ２２及び２４と、同一の弁板２６及び２８と、管３６によって一体的に接合された２つのヘッド部材３２及び３４、それに全ての部品を共にシールする各ファスナ及び各シールを備えた一体型ヘッド３０とを備えている。このヘッド３０はそれぞれのハウジング１２及び１４に対する各端部で各ボルト４０によって締め合わせられて、弁板２６及び２８、シリンダ２２及び２４をそれぞれハウジング１２及び１４にクランプしている。
【００１７】
特に図４から図７を参照すると、ポンプ１０はそれぞれのハウジング１２及び１４の底部のポート４２及び４４を通して吸気を引き込む。ポンプ室に対する吸気フラッパ弁４６a、４８aはピストンヘッド４６または４８（図２）に設けられており、これらのフラッパ弁を通して、それぞれのシリンダ２２、２４、ピストン２５、２７、及び弁板２６または２８によって形成されるそれぞれのポンプ室２００、２０１に空気が入り込む。空気は弁２８a、２６aを通して、またスルー管３６及び排気口３８を通して排気することができる。勿論、ヘッド３０は一体的に弁板２６及び２８を含むようにすることができ、この場合は、ヘッドの各カバーは分離片として形成することができ、各カバーは図示するようにヘッド３０に一体的に形成される。
【００１８】
カバー１８及び２０はプラスチック成形部品であり、それらを通してどんな開口部をも有するものではない。即ち、これらのカバーは開口部を有し得るにも拘わらず、例えば、ポート及びHEPAフィルタまたはフェルトフィルタ等のフィルタをカバーの内側に設けて、入ってくる空気または既にある空気をろ過することができる。吸気は各ハウジングの底部を通して行われるので、図示するように、各カバーはどんな孔をも有する必要がない。仮にファンブレードがモータの主軸に設けられていれば、各カバーは空気を通すファン保護具であることもできる。
【００１９】
カバー１８とは同一のため、カバー２０のみを詳細に説明する。このカバー２０は円形状であると共に円形孔５０に嵌合することによってハウジング１４上に保持されている。また、この円形孔５０は、鋳造アルミニウム合金材料または別の硬質で強い材料であって良いハウジング１４の端部にて機械加工されている。図７を参照すると、円形孔５０は円筒部５２と、外部に開くと共に内側方向にテーパーが付いたフラスト-円錐部(frusto-conical portion)５４とを有している。ハウジング１４は、カバー２０のフランジ５８と当接してカバー２０が更に孔５０の中に挿入されるのを止める端面５６を有している。孔５０はカバー２０の挿入を止めるように働く肩部６６をその内側端部に有している。カバー２０の伸張部６０は僅かに小さいながらも円筒部５２と略同一の直径であることから、面取り部５４は円筒部５２中にカバー２０を導く。この伸張部６０はまた、圧縮可能な弾性O-リングであるシールリング６４が存するO-リング６２を備えている。カバー２０及びハウジング１４の間にうまくはまる標準のO-リングは基準に合っている。リング６４はカバー２０及びハウジング１４の間で圧縮されると共に、ポンプが動作中の場合及び非動作の場合双方でカバー２０を保持しハウジング１４にカバー２０を固定する唯一の力をもたらすように働く。
【００２０】
ポンプ２０が動作中の場合、ピストンがハウジング１４の底部を通してポンプ室に空気を引き込んでいるとき、カバー２０はシリンダのピストンの往復から得られる周期的な減圧力を受ける。この減圧はまたカバー２０を孔５０に保持する助けとなる。リング６４はハウジング１４に固定した孔６０にカバー２０を保持する唯一の一定の力をもたらし、このため、カバーは「ファスナレス(fastenerless)」と称することができ、このことはカバー２０がハウジング１４に容易に押込み式に組み付けられることを可能にする。ねじ回しスロット、即ち凹部５７を肩部６６の縁に設けて、取外しのために孔５０からカバー２０を動かせるようにする空間を形成することができる。
【００２１】
O-リング６４はまた、カバー20及びハウジング１４の間の界面を通して空気、埃、液体、及び他の異物がハウジング１４の中に入ってくるのを防止するシールをもたらす。シーリング６４は図示するように弾性O-リングであることができ、或いはクワドリング、四角の断面または他の形状の断面を有するO-リング、または標準のO-リング等の多数の他の形式のシールリングのうちの何れでもあることができよう。O-リングの材料は、例えば、O-リング用の標準的材料であるシリコンであって良い。仮にカバー２０及びハウジング１４の間の界面をシールする必要がなければ、例えば、カバー２０がファン保護具であれば、リング６４は、カバー２０を維持すべく孔５０に対して摩擦力を発生することができる、例えばプラスチックまたは金属から成る割りリングであることができよう。また、保持力を増大すべく摩擦嵌合いと同様に形状嵌合いをもたらすように、ぴったり合うリング６４用の孔５０に溝部または肩部を形成することができよう。
【００２２】
シールするカバーがリング６４が促進する減圧状態をカバーが受けることによって、硬化する傾向にあると共に、さもなくばカバーから発生し得るノイズを低減する傾向にあるカバーに応力が加わることに留意されたい。
【００２３】
図８Ａから図８Cを参照すると、各開口（３４a、３４b、３２a、３２b）を通されると共に、各弁板２８、２６を側に通す各ボルト４０によってもたたらされるクランプ力のみによって、弁板２６及び２８はポンプの組立て品に取り付けられる。各図面から判るように、ファスナは弁板２６及び２８を通して伸張していない。以前は、この種のポンプに対する典型的な従来技術では、弁板２６及び２８は組立て品にこれらの弁板を保持する個別ファスナを有していたか、または各ボルト４０が伸張する、ヘッド３０のボルトフランジと同様のフランジを有していた。このフランジを除去することによって、弁板及びヘッド３０の間に生じるリークの各問題が低減されることが見い出されてきた。個別ファスナを除去することによってもまた組立てが助長される。
【００２４】
従来技術の各弁にフランジまたは個別ファスナを用いることによって、弁板の配向をもたらすという効果が得られ、このことは弁板上にフラッパを保持するファスナが突出しピンランド等のヘッドの下側の構造物と干渉しないようにする上で望ましい。各弁板のフランジ及び個別ファスナを除去する場合、幾つかの他の手段が配向を制限するのに設けられない限り、各弁板を任意の配向に組み立てることができる。このためには、各弁板２６，２８は上側には腎臓形の凹部（図８Ａ）が設けられる。また、管３６の上側には、突出しピンランドから離間して弁板２６，２８にフラッパ弁のファスナ７６を位置決めするように各凹部７２に嵌合する２つのピン７４（図８Ａ）が各端部に設けられている。
【００２５】
弁板２６及び２８はそれぞれのシリンダ２２または２４の頂部に下降して伸張する伸張部８２を有するように形成されている。この伸張部８３は、それぞれのシリンダ２２または２４の内側の面に対してシールするべくシールリング８４が位置決めされたシールリング溝８０を有する。このシールリングは標準のO-リング、四角の断面を有するO-リング、クワドリング、または任意の他の形式のシールリングであって良い。それぞれのシリンダ２２または２４の内部は、その丸みがシリンダの外表面の丸みよりは優っており、かつ耐シール性に対して良好な平滑表面を得るために陽極酸化されているので、耐シール性に対して特に好ましい表面をもたらしている。また、シーリングは、シリンダ外表面上を滑動するよりもうまくシリンダ中に滑り込む。
【００２６】
弁板の頂部の近くにあると共に、伸張部８２から半径方向に外側に伸張する弁板２８の一部分を本願において部位８６と称する。この部位８６は１つ以上の凹部８７を用いて形成して、平ブレードねじ回しを用いて弁板をシリンダから動かせるようにしても良い。
【００２７】
図１から図３を参照すると、ヘッド３０の管３６はこの管３６と一体的に形成されるポート８８を有し、このポート８８の内側は管３６の内部と直接通じている。このことは勿論ヘッド部材３２及び３４双方の内側にコミュニケーションをもたらす。ヘッド部材３２及び３４の間に管３６と一体的に形成されたポートを設けることは、ヘッド部材３２及び３４に単に各ポートを設けるよりも範囲がより広い接続応用に対して備えをするものである。また、この位置にポートを設けることは、図１４を参照して以下に述べるように三点取付けの備えをするものである。また、ヘッドの全部品を１つの構造体に鋳造すること、即ち、ヘッド部材３２及び３４双方、管３６、及びポート８８を１つの構造体に鋳造することはヘッド３０の優れた構造的硬さに備えをすることであり、この結果、図１４の側取付け応用におけるように、ヘッド３０をハンドルとして使用することができると共に、重量、即ちポンプの重量の少なくとも一部分を保持するのに使用することもできる。
【００２８】
特に、図９を参照すると、ポンプ１０は手動ピストン型ポンプであるので、各ピストン組立て品２５及び２７は接続用ロッドと一体的に形成されたピストンヘッド４６、４８を有するピストン９２を備えている。他の形式のピストンは隔壁ピストンまたは関節のあるヘッドピストンを備えている。本願で使用する「ピストン」という用語はこの種のピストンを含むことを意図している。周知のように、ピストン９２の各ピストンヘッドは、それぞれのシリンダ２２及び２４を用いて滑りシールを形成するカップシールを持続する保持器を有している。
【００２９】
図９を参照すると、各ピストン組立て品２５、２７はまた、つり合い重り部９６及びスタブ９８（図６Ｂ）を有する、例えば、はがねから成る偏心器９４を備えている。ピストン組立て品２５、２７はそれぞれの偏心器９４を介してモータの主軸１００の両端に固定されている。このために、主軸１００の端部及びねじ切りファスナ９３、例えば、止めねじを受け入れる寸法に作られた孔を各偏心器９４は有している。この場合、ねじ切りファスナ９３は主軸に対してしっかり締めて、偏心器及びピストン組立て品を主軸上に固定することができる。主軸１００が回転するとき、ピストン９２が往復するように、軸中心線１０４はスタブ軸１０６から離間すると共にこれと平行している。スタブ９８は、例えば玉軸受または他の形式の軸受であって良い軸受１０８によってピストンまで移動(journal)する。
【００３０】
ポンプ１００の両端にある２つのピストン９２は相互に１８０°位相がずれて組み立てられ、この結果、ピストンの一方が頂部の死点にあるとき、他方のピストンは底部の死点にある。このことを果たすために、各ピストン９２には２つの孔１１０及び１１２が設けられている。この２つの孔１１０及び１１２は軸１０６の周りに相互に１８０°離間すると共に、それらの中心と交鎖しスタブ９８の軸１０６とも交鎖する線上に各中心を有している。各偏心器９４にはまた、軸１０６、軸１０４、及び孔１１４の中心を通して伸張する線上の軸１０４周りの軸１０６から１８０°離間した孔１１４が設けられている。孔１１０、１１２及び１１４の全ての縦方向の軸は全て軸１０４及び１０６と平行である。こうして、孔１１４が孔１１０と一緒に並んだとき、図６に示すように、ピストンはその底部の死点位置にあり、また孔１１４が孔１１２と一緒に並んだとき、ピストンはその頂部の死点位置にある。
【００３１】
図１０及び図１１に示すように、磁気的ピン取付け具１１５は各孔を位置合わせするのに使用することができる。この磁気的ピン取付け具１１５は半径方向に離間して突き出て孔１１０及び１１２に入り込む２つのピン１１９を有するピストン９２の丸形の下方部分の寸法と略同一の寸法の磁気ディスク１１７を有する。この場合、各ピンは孔１１４を通して伸張するのに十分長い。この磁気ディスクは止めねじ９３が主軸１００に対してしっかり締められている間、スタブ９８または軸受１０８に対して取付け具を保持する。ポンプの一端では、このことは底部の死点位置にあるピストン９２を用いて行われ、取付け具をこの位置にあるままにして底部の死点位置を保持する間、ポンプの他方の端部は、同様の取り付け具１１５を用いることによって頂部の死点位置にあるピストン９２を用いて組み立てられる。双方の止めねじ９３をしっかりと締めてピストンの各位置を主軸１００上に固定するとき、磁気的取付け具を取り除くことができる。各止めねじ９３は吸気孔４２，４４を通してアクセス可能であることに留意されたい。
【００３２】
前述したようなポンプ１０は一般に、或る形式の取付け金具を用いてハウジングから取り付けられよう。この場合、取付け金具は弾性部品等の振動絶縁体を備えて良い。管状物は吸気口及び排気口から延びて、ポンプへの接続を行っており、また一般に、管状物は過剰なスラックをその中に有していよう。この結果、ポンプの振動はこの管状物を通して機械の他の部分には伝わらないようになっている。
【００３３】
図１２は管状物１３２がポンプ１０をベース１３６に固定するこの発明のマウントを図示している。この管状物１３２はできる限り軟質であるが、ポンプ１０を保持できる弾性材料から成ることが好ましい。管状物１３２はまた、ポンプの底部で孔４２、４４にねじ止めされたポンプの各吸気口１３８に空気が入り込む通路をもたらしている。このベース１３６は、各管１３２が各吸気口に接続されている場合、またはベース１３６が排気口に接続されればポンプ１０からのフローに接続されている場合のいずれかで、にこのフローをポンプ１０に向ける通路を含むポンプ１０用の吸気口マニホルドまたは他のマニホルドである。
【００３４】
図１３はポンプ１０をその側に取り付けた代替実施例を図示している。各吸気口１４０は底部よりもむしろハウジングのおのおのの側に設けられている。また、図１２の各マウントのような各管マウントは吸気口１４０のおのおのに対して、かつ排気口８８に対して設けられて、ポンプ１０に三点マウントをもたらしている。各ポート１４０に接続された各管はポンプ１０に空気を送り、ポート８８からの管マウントはポート１０からの空気に対して通路をもたらす。３つのポート全ては吸気及び排気の双方に対してマニホルドをもたらすことができる同一のベースに接続することができる。
【００３５】
図１４はマウント３２の代わりに使用し得る管マウント１５２に対するより詳細な構成を図示している。ポート１３８はその各端部にて成形した各フランジを有する管マウント１５２によってベース１３６のポート１５０に接続されている。各ガセットは管マウントの中央部と各フランジの間に設けることもできる。取付け止め金具１５４は管マウントの一部分として成形し得るか、ポート１３８及び１５０の端部の間に分離して設けることができるか、または管マウントがポンプを支持するのに十分硬質である場合に省くことができる。ポンプ１０を付加的に支持するための管マウント１５２のフランジの間に圧縮ばね１５６を設けても良い。この管マウント１５２は、最低の周波数でできるだけ多くの振動を吸収したり、またポンプ１０に対してフローをもたらす間、ポンプ１０を依然として支持したりまたはこの支持を助けたりするようにできるだけ軟質である弾性材料から成形されることが好ましい。
【００３６】
図１５はポート１３８、１４０、１５０またはプラグ１６０（図２）のような取付け具をどのようにしてベース１３６、ハウジング１２または１４、或いはヘッド３０等のボディに設けて、ボディの間に接続部を形成し得るかを図示している。図１５において、ボディは参照番号１６４によって同定される。図１５に図示するように、取付け具１６６はポートである。ボディ１６４はこのボディ１６４及び面取り部１７０の内部の円筒部１７２の内側に向かう方向にテーパーが付いた面取り部１７０を有する円形開口部１６８を有している。取付け具１６６はその外面にシール溝１７６及び保持リング溝１７８を形成する前部１７４を有する。標準のO-リング、クワドリング、四角の断面を有するO-リング、または任意の他の種類のシールリングであって良いシールリング１８０はシール溝１７６にて前部１７４を取り囲んでいる。保持リング１８２は保持溝１７８中に受容されており、弾性リングであって良い。また、この弾性リングは、弾性体、プラスチックまたは金属であって良く、しかも割りが入っていてもいなくとも良い、標準のO-リング、クワドリング、四角の断面を有するO-リング、または任意の他の種類の圧縮可能でかつ膨張可能なリングのうちの何れかである。シールリング１８０は従来の流儀で円筒部１７２の表面に対してシールする。しかしながら、取付け具１６６を孔１６８に挿入すると直ちに、保持リング１８２は面取り部１７０によって最初に圧縮される。また、円筒部１７２の内側縁１８４をクリアし、この時点で膨張し切って円筒部の内側縁１８４に干渉して取付け具１６８を開口部１６８に保持するまで、円筒部１７２を通して滑動する。この動作によって、取付け具１６６をボディ１６４に押込み式に組み付けることが容易になると共に、取付け具１６６をボディ１６４に固定接続することが容易になる。
【００３７】
以上、ポートを説明したが、取付け具１６６はプラグ、圧力調整弁、フィルタの部位、消音器、アテネーター、ゲージ、または別のデバイス、即ち開口への結合を必要とするポンプ部品であることができよう。
【００３８】
以上、本発明の好ましい実施例を相当詳細に説明した。説明したこの好ましい実施例に対する多くの修正及び変形は当業者には明瞭となろう。従って、本発明は以上説明した実施例に制限されるべきではなく、特許請求の範囲によって定義されるべきものである。
【図面の簡単な説明】
【００３９】
【図１】本発明を導入するポンプの斜視図である。
【図２】図１のポンプの平面分解斜視図である。
【図３】図１のポンプの底面分解斜視図である。
【図４】図１のポンプの断面斜視図である。
【図５】図４の拡大部分である。
【図６Ａ】ポンプの縦軸に沿って取った断面図である。
【図６Ｂ】図６Ａの拡大部分である。
【図７】図６Ｂの拡大部分である。
【図８Ａ】頂部から見たときのポンプの頂部分の拡大斜視図である。
【図８Ｂ】底部から見たときのポンプの頂部分の拡大斜視図である。
【図８Ｃ】図６Ｂの拡大部分である。
【図９】ポンプの各ピストン、各偏心器及び関連部分の拡大分解斜視図である。
【図１０】各ピストンをモータの主軸に組み付けたときの各ピストン及び各偏心器を位置合わせするためのツールの正面図である。
【図１１】図１０のツールの側面図である。
【図１２】二取付け点を使用する本発明のマウントを図示する概略斜視図である。
【図１３】図１２と同じような図であるが、三取付け点を使用した代替実施例を示す図である。
【図１４】マウントのうちの１つの詳細図である。
【図１５】一般に円筒状の押込みポート取付け具の縦軸から取った断面図である。
【図１６】図１のポンプの正面図である。
【図１７】図１のポンプの背面図である。
【図１８】図１のポンプの右端面図である。
【図１９】図１のポンプの平面図である。
【図２０】図１のポンプの左端面図である。
【図２１】図１のポンプの底面図である。
【符号の説明】
【００４０】
１０ポンプ、１２、１４  ハウジング、１６  モータ、１８，２０  カバー、２２、２４  シリンダ、２５、２７  ピストン組立品、２６、２８  弁板、２６a、２８a  弁、３０  ヘッド、３２、３４  ヘッド部材、３２a、３２b、３４a、３４b  開口、３６  管、３８  排気口、４０  ボルト、４２、４４、８８、１３８、１４０、１５０  ポート、４６、４８  ピストンヘッド、４６a、４８a  吸気フラッパ弁、５０  円形孔、５２、１７２  円筒部、５４  面取り部、５６  端面、５７、８７  凹部、５８  フランジ、６０、８２  伸張部、６２  O-リング、６４、８４  シールリング、６６  肩部、７４、７９  ピン、７６  ファスナ、８０  シールリング溝、８６  部位、９２  ピストン、９３  止めねじ、９４  偏心器、９６  つり合い重り部、９８  スタブ、１００  モータ主軸、１０４  軸中心線、１０６  スタブ軸、１０８  軸受、１１０、１１２、１１４  孔、１１５  磁気的ピン取付け具、１１７  磁気ディスク、１３２  管状物、１３６  ベース、１５２  管マウント、１５４  取付け止め金具、１５６  圧縮ばね、１６０  プラグ、１６４  ボディ、１６６  取付け具、１６８  円形開口部、１７０  面取り部、１７４  前部、１７６  シール溝、１７８  保持リング溝、１８０  シールリング、１８２  保持リング、１８４  内側縁、２００、２０１  ポンプ室
【図１】
2006322459.tif 000003
【図２】
2006322459.tif 000004
【図３】
2006322459.tif 000005
【図４】
2006322459.tif 000006
【図５】
2006322459.tif 000007
【図６Ａ】
2006322459.tif 000008
【図６Ｂ】
2006322459.tif 000009
【図７】
2006322459.tif 000010
【図８Ａ】
2006322459.tif 000011
【図８Ｂ】
2006322459.tif 000012
【図８Ｃ】
2006322459.tif 000013
【図９】
2006322459.tif 000014
【図１０】
2006322459.tif 000015
【図１１】
2006322459.tif 000016
【図１２】
2006322459.tif 000017
【図１３】
2006322459.tif 000018
【図１４】
2006322459.tif 000019
【図１５】
2006322459.tif 000020
【図１６】
2006322459.tif 000021
【図１７】
2006322459.tif 000022
【図１８】
2006322459.tif 000023
【図１９】
2006322459.tif 000024
【図２０】
2006322459.tif 000025
【図２１】
2006322459.tif 000026